(57)【要約】【課題】電源供給用接続口を有することなく駆動電力を確保することで小型化可能な光電気変換装置を提供する。【解決手段】電気信号用ケーブルの芯線で電気信号用に使用していない芯線を介して駆動用電力の供給を受けているので、別途電源部が電源供給用接続口を有して電源ケーブルを介して交流電源から駆動用電力を受けることないため、電源供給用接続口及び電源ケーブルを有することなく、本光電気変換装置を小型化することができる。【選択図】  図１
2004228858.tif 000002
【特許請求の範囲】
【請求項１】
複数芯線を有する電気信号用ケーブルと光ファイバケーブルと接続し、当該電気信号用ケーブルを介して電気信号を受けて光信号に変換して前記光ファイバケーブルを介して送り、一方で、当該光ファイバケーブルを介して光信号を受けて電気信号に変換して前記電気信号用ケーブルを介して送る光電気変換装置において、
前記電気信号用ケーブルの複数芯線のうち電気信号の送受に利用されない芯線を介して駆動用電力の供給を受けることを
特徴とする光電気変換装置。
【請求項２】
複数芯線を有する電気信号用ケーブル及び光ファイバケーブルと接続し、当該電気信号用ケーブルを介して電気信号を受けて光信号に変換して前記光ファイバケーブルを介して送り、一方で、当該光ファイバケーブルを介して光信号を受けて電気信号に変換して前記電気信号用ケーブルを介して送る光電気変換装置において、
前記電気信号用ケーブルの複数芯線のうち４芯線を電気信号を送受する芯線として用い、２又は４芯線を駆動用電力の供給を受ける芯線として用いることを
特徴とする光電気変換装置。
【請求項３】
前記請求項１又は２に記載の光電気変換装置において、
前記電気信号を送受する芯線と駆動用電力の供給を受ける芯線とをそれぞれ別ケーブルとして成形することを
特徴とする光電気変換装置。
【発明の詳細な説明】
【０００１】
【発明の属する技術分野】
本発明は、電気信号用ケーブルから電気信号を受けて光信号に変換し、一方で、光ファイバケーブルから光信号を受けて電気信号に変換する光電気変換装置に関し、特に、駆動用電力専用の接続口を不要とした光電気変換装置に関する。
【０００２】
【従来の技術】
１０ｂａｓｅ−Ｔ、１００ｂａｓｅ−ＴＸのＬＡＮシステムにおいて、ＲＪ４５型ジャックでは接続する８つの金属端子のうち４つの金属端子のみを使用して残りの４つの金属端子を使用しない。従って、メタリックケーブルではＲＪ４５型ジャックで使用しない金属端子に相当する芯線を使用していなかった。従来の光電気変換装置は、メタリックケーブル用のＲＪ４５型ジャックと光ファイバケーブル用のジャックとが設けられ、メタリックケーブル用ジャックにメタリックケーブルのコネクタを接続され、光ファイバケーブル用ジャックに光ファイバのコネクタを接続され、メタリックケーブルからの電気信号を光信号に変換し、光ファイバケーブルからの光信号を電気信号に変換し、これら変換動作などのための駆動電力は別途設けられた電源部が電源接続口から電源コードを介して家庭用交流電源等の電源からの供給を受けて賄っていた。
【０００３】
【発明が解決しようとする課題】
従来の光電気変換装置は以上のように構成され、インターフェースとして、メタリックケーブル用ジャック、光ファイバケーブル用ジャック及び電源供給用接続口の３つを要しており、この３つのインターフェース分のスペースが弊害となって、小型化することができず、既設設備等に付加的に構築せざる得ない現在の光ファイバ環境の要求を十分に満たすことができないという課題を有する。
【０００４】
本発明は上記課題を解決するためになされたもので、電源供給用接続口を有することなく駆動電力を確保することで小型化可能な光電気変換装置を提供することを目的とする。
【０００５】
【課題を解決するための手段】
本発明に係る光電気変換装置は、複数芯線を有する電気信号用ケーブルと光ファイバケーブルと接続し、当該電気信号用ケーブルを介して電気信号を受けて光信号に変換して前記光ファイバケーブルを介して送り、一方で、当該光ファイバケーブルを介して光信号を受けて電気信号に変換して前記電気信号用ケーブルを介して送る光電気変換装置において、前記電気信号用ケーブルの複数芯線のうち電気信号の送受に利用されない芯線を介して駆動用電力の供給を受けるものである。このように本発明においては、電気信号用ケーブルの芯線で電気信号用に使用していない芯線を介して駆動用電力の供給を受けているので、別途電源部が電源供給用接続口を有して電源ケーブルを介して交流電源から駆動用電力を受けることないため、電源供給用接続口及び電源ケーブルを有することなく、本光電気変換装置を小型化することができる。
【０００６】
本発明に係る光電気変換装置は、複数芯線を有する電気信号用ケーブル及び光ファイバケーブルと接続し、当該電気信号用ケーブルを介して電気信号を受けて光信号に変換して前記光ファイバケーブルを介して送り、一方で、当該光ファイバケーブルを介して光信号を受けて電気信号に変換して前記電気信号用ケーブルを介して送る光電気変換装置において、前記電気信号用ケーブルの複数芯線のうち４芯線を電気信号を送受する芯線として用い、２又は４芯線を駆動用電力の供給を受ける芯線として用いるものである。
【０００７】
本発明に係る光電気変換装置は、前記電気信号を送受する芯線と駆動用電力の供給を受ける芯線とをそれぞれ別ケーブルとして成形するものである。このように本発明においては、前記電気信号を送受する芯線と駆動用電力の供給を受ける芯線とをそれぞれ別々にしているので、当該駆動用電力の供給を受ける芯線を介して供給される駆動用電力が前記電気信号を送受する芯線を介して送受される電気信号に悪影響を与えることがない。
【０００８】
【発明の実施の形態】
（本発明の第１の実施形態）
本発明の第１の実施形態に係る光電気変換装置を、図１ないし図３に基づいて説明する。図１は本実施形態に係る光電気変換装置の全体斜視図、図２は本実施形態に係る光電気変換装置の全体ブロック図、図３は本実施形態に係る光電気変換装置を導入したネットワーク構成図を示す。
【０００９】
本実施形態に係る光電気変換装置１は、メタリックケーブル用ＲＪ４５型ジャック１１と、光ファイバケーブル用ジャック１２と、メタリックケーブル２からの電気信号を光信号に変換し、光ファイバケーブル７１からの光信号を電気信号に変換する光電気変換部１３と、この光電気変換部１３の各種部位に電力を供給する電源部１４とを備え、メタリックケーブル用ＲＪ４５型ジャック１１に装着されるメタリックケーブル２の複数芯線のうち電気信号の送受に利用されない芯線を介して駆動用電力の供給を受ける構成である。
【００１０】
前記メタリックケーブル２は、１０ｂａｓｅ−Ｔ、１００ｂａｓｅ−ＴＸのＬＡＮシステム上で使用可能なものとし、４対８芯線であるとする。ここで、一般の１００ｂａｓｅ−ＴＸのＬＡＮシステム上では、８芯線中４芯線を電気信号用に利用し（以下、この４芯線を電気信号用芯線２１とする）、残りの４芯線を使用していない。本実施形態では、このメタリックケーブル２の残り４芯線中２芯線を介して駆動用電力の供給を実現する（以下、この２芯線を駆動電力用芯線２２とする）。但し、図１においては、電気信号用芯線２１と駆動電力用芯線２２とに分けて成形し駆動電力用芯線２２を介して供給される駆動用電力が電気信号用芯線２１上の電気信号に与える影響を抑制しているが、まとめて１本に成形することもできる。
【００１１】
前記メタリックケーブル用ＲＪ４５型ジャック１１は、前記８芯線に対応して８つの金属端子を備え、メタリックケーブル２の電気信号用芯線に対応して８つの金属端子の内４つの金属端子（以下、電気信号用金属端子１１ａ）が光電気変換部１３と接続し、メタリックケーブル２の駆動電力用芯線に対応して電気信号用金属端子１１ａでない２つの金属端子（以下、駆動電力用金属端子１１ｂ）が電源部１４と接続している（図２参照、図中でメタリックケーブル用ＲＪ４５型ジャック１１、光電気変換部１３及び電源部１４を結ぶ実線は電気信号用ラインを示し、点線は電力用ラインを示し、光ファイバケーブル用ジャック１２及び光電気変換部１３を結ぶ実線は光信号用ラインを示す。）。
【００１２】
次に、本実施形態に係る光電気変換装置の動作について説明する。ここで、本実施形態に係る光電気変換装置を図３に示すネットワークシステムに組み入れているとする。
このネットワークシステムは、複数の端末３とスイッチングハブ４とがメタリックケーブル５を介して接続し、スイッチングハブ４と本光電気変換装置１とがメタリックケーブル２を介して接続し、本光電気変換装置１と従来の光電気変換装置６とが光ファイバ網７を介して接続して構成される。メタリックケーブルコネクタ２ａをメタリックケーブル用ＲＪ４５型ジャック１１に装着し、光ファイバケーブルコネクタ７１ａを光ファイバケーブル用ジャック１２に装着している。ここで、メタリックケーブルコネクタ２ａは、メタリックケーブル用ＲＪ４５型ジャック１１に装着可能な形状をしており、装着することでメタリックケーブル２の芯線を適切にメタリックケーブル用ＲＪ４５型ジャック１１の各金属端子に接触させる。
【００１３】
このスイッチングハブ４も、本実施形態に係る光電気変換装置と同様に、光電気変換装置１と接続するメタリックケーブル用ジャック１２がメタリックケーブル２の８芯線に対応して８つの金属端子を備え、メタリックケーブル２の電気信号用芯線に対応して８つの金属端子の内４つの金属端子（以下、電気信号用金属端子）がスイッチング機能等を実現している回路部（図示しない）と接続し、メタリックケーブル２の駆動電力用芯線に対応して電気信号用金属端子でない２つの金属端子（以下、駆動電力用金属端子）が電源部（図示しない）と接続している。ここで、スイッチングハブ４の電源部は、交流電源８から電力の供給を受け、各部位に電力を供給すると共に、電力用金属端子に電力を供給する。ここで、本光電気変換装置１に電力を供給するのは、スイッチングハブ４に限られず、他の種類のハブ（リピータハブ等）及びルータ等でもよく、駆動電力用芯線を確保できるメタリックケーブルを介して接続しており電力供給が可能な機器であればよい。
【００１４】
このネットワークシステムでは、端末３からのデータが電気信号としてメタリックケーブル５を介してスイッチングハブ４に送信され、スイッチングハブ４がこのデータのあて先を確認して光電気変換装置１にデータをメタリックケーブル２の電気信号用芯線２１を介して送信し、光電気変換装置１からのデータが光ファイバ網７を介してデータ送信先が属するネットワークのゲートウェイとなる光電気変換装置６に送信される。このようなデータ通信が行われている場合に依らず、光電気変換装置１の要求に応じて、スイッチングハブ４からの電力がメタリックケーブル２の駆動電力用芯線２２から供給される。
【００１５】
このように本実施形態に係る光電気変換装置によれば、光電気変換装置１がメタリックケーブル用ジャック１２の電気信号用金属端子１１ａの他に駆動電力用金属端子１１ｂを設け、メタリックケーブル２の駆動電力用芯線２２から駆動電力の供給を受けているので、スイッチングハブ４からのデータの送受をメタリックケーブル２の電気信号用芯線２１を介して行うと共に、本光電気変換装置１の必要に応じてメタリックケーブル２の駆動電力用芯線２２を介して駆動電力の供給を受けており、別途電源部１４が電源供給用接続口を有して電源ケーブルを介して直接交流電源から駆動用電力を受けることないため、電源供給用接続口及び電源ケーブルを有することなく、本光電気変換装置１を小型化することができる。
【００１６】
なお、本実施形態に係る光電気変換装置において、図４に示すように、メタリックケーブル用ジャック１２と光ファイバケーブル用ジャック１３とを対向して配設することもでき、光電気変換装置１を配備する環境に応じた形状とすることで、省スペースで光通信の環境を構築することができる。
【００１７】
【発明の効果】
以上のように本発明においては、電気信号用ケーブルの芯線で電気信号用に使用していない芯線を介して駆動用電力の供給を受けているので、別途電源部が電源供給用接続口を有して電源ケーブルを介して交流電源から駆動用電力を受けることないため、電源供給用接続口及び電源ケーブルを有することなく、本光電気変換装置を小型化することができるという効果を奏する。
【００１８】
また、本発明においては、前記電気信号を送受する芯線と駆動用電力の供給を受ける芯線とをそれぞれ別々にしているので、当該駆動用電力の供給を受ける芯線を介して供給される駆動用電力が前記電気信号を送受する芯線を介して送受される電気信号に悪影響を与えることがないという効果を有する。
【図面の簡単な説明】
【図１】本発明の第１の実施形態に係る光電気変換装置の全体斜視図である。
【図２】本発明の第１の実施形態に係る光電気変換装置の全体ブロック図である。
【図３】本発明の第１の実施形態に係る光電気変換装置を導入したネットワーク構成図である。
【図４】本発明のその他の実施形態に係る光電気変換装置の全体斜視図である。
【符号の説明】
１  光電気変換装置
２  メタリックケーブル
２ａ  メタリックケーブルコネクタ
３  端末
４  スイッチングハブ
５  メタリックケーブル
６  従来の光電気変換装置
７  光ファイバ網
８  交流電源
１１  メタリックケーブル用ＲＪ４５型ジャック
１１ａ  電気信号用金属端子
１１ｂ  駆動電力用金属端子
１２  光ファイバケーブル用ジャック
１３  光電気変換部
１４  電源部
２１  電気信号用芯線
２２  駆動電力用芯線
７１  光ファイバケーブル
７１ａ  光ファイバケーブルコネクタ
【図１】
2004228858.tif 000003
【図２】
2004228858.tif 000004
【図３】
2004228858.tif 000005
【図４】
2004228858.tif 000006